(57)【特許請求の範囲】
【請求項１】
マッサージデバイスであって、
・少なくとも１つの支持体（９０）と；
・この支持体に対して回転可能に取り付けられた１つまたは複数のマッサージ部材（２；１７；１８）と；
を具備し、
前記マッサージ部材が、少なくとも一対をなすフレキシブルリップ（３，４）を備え、
各リップが、それぞれ対応する回転軸線回りに延在するとともに、処理対象をなす領域に対して当接し得るものとされ、さらに、前記マッサージデバイスが前記処理対象領域に対して適用された際には撓み得るものとされ、
前記リップ（３，４）が、前記回転軸線（Ｒ）から離間する方向において互いに離間するものとされ、これにより、前記リップ（３，４）は、前記マッサージデバイスが皮膚に対して適用されて皮膚に対して押圧された際には、互いに離間する向きへと撓むものとされていることを特徴とするデバイス。
【請求項２】
請求項１記載のデバイスにおいて、
前記２つのリップ（３，４）が、単一部材として成型されていることを特徴とするデバイス。
【請求項３】
請求項１または２記載のデバイスにおいて、
前記リップ（３，４）どうしの間に、突出部材（２２）を具備していることを特徴とするデバイス。
【請求項４】
請求項３記載のデバイスにおいて、
前記突出部材が、一連のスパイク（２２）を備えていることを特徴とするデバイス。
【請求項５】
請求項３または４記載のデバイスにおいて、
前記突出部材（２２）が、前記リップ（３，４）と一体的に形成されていることを特徴とするデバイス。
【請求項６】
請求項１〜５のいずれか１項に記載のデバイスにおいて、
少なくとも、第１マッサージ部材と、第２マッサージ部材と、を具備し、
これら第１および第２マッサージ部材の各々が、少なくとも一対をなすフレキシブルリップを備え、
前記第１および第２マッサージ部材が、互いに異なる回転軸線（Ｒ’，Ｒ”）回りに回転するものとされていることを特徴とするデバイス。
【請求項７】
請求項１〜６のいずれか１項に記載のデバイスにおいて、
前記支持体（９０）が、レセプタクル（６０）に対して着脱可能に取り付けられることを特徴とするデバイス。
【請求項８】
請求項１〜７のいずれか１項に記載のデバイスにおいて、
前記支持体には、前記マッサージ部材を支持する複数のブランチが設けられ、
前記マッサージデバイスが、前記ブランチどうしの間に取り付けられた追加的なマッサージ部材（２１１）を具備していることを特徴とするデバイス。
【請求項９】
請求項１〜８のいずれか１項に記載のデバイスを使用して皮膚をマッサージするための方法であって、
前記フレキシブルリップを、皮膚に対して適用し、特に皺（Ｆ）の両サイドに対して適用し、
前記マッサージ部材を回転させて皮膚上にわたって転がせる；
ことを特徴とする方法。
【発明の詳細な説明】
【技術分野】
【０００１】
本発明は、マッサージデバイスに関するものである。
【背景技術】
【０００２】
顔をマッサージし得るよう外面上にスパイクが設けられた剛直なフラットローラを備えてなるアプリケータが、存在する。そのようなアプリケータは、深い皺の局所的な処理には適していない。なぜなら、それらアプリケータは、皮膚に対して比較的攻撃的であるからであり、また、多くの場合、嵩張りすぎているからである。
【０００３】
また、ハンドルと、１つの剛直なディスクまたは２つの剛直なディスクと、から形成されているアプリケータが、存在する。その場合、ディスクは、皮膚に対して張力を及ぼすことなく、表皮上を転がる。そのようなアプリケータは、皺の処理に際しては、また、血液の微小循環を引き起こすに際しては、全く効果的ではない。
【０００４】
特許文献１には、回転マッサージ部材を備えたマッサージデバイスが開示されている。
【０００５】
特許文献２には、レセプタクルに対して固定された少なくとも１つのマッサージ部材を備えたマッサージデバイスが記載されている。
【０００６】
皮膚に対してあまり攻撃的ではなく、なおかつ、血液の微小循環を引き起こし得るような態様でもっておよび／またはリンパの排水を実施し得るような態様でもっておよび／または皮膚のエージングに抗し得るような態様でもっておよび／または活性成分の浸透および作用を促進し得るような態様でもっておよび／またはリラックス作用をもたらし得るような態様でもって、表皮を処理し得るような、マッサージデバイスが要望されている。
【特許文献１】米国特許第５，２１８，９５５号明細書
【特許文献２】米国特許出願第２００５／００２０９４８号明細書
【発明の開示】
【課題を解決するための手段】
【０００７】
一見地においては、本発明は、マッサージデバイスであって、
・少なくとも１つの支持体と；
・この支持体に対して回転可能に取り付けられた１つまたは複数のマッサージ部材と；
を具備し、マッサージ部材が、少なくとも一対をなすフレキシブルリップを備え、各リップが、処理対象をなす領域に対して当接（あるいは、係合）し得るものとされ、さらに、マッサージデバイスが処理対象領域に対して適用された際には撓み得るものとされているようなマッサージデバイスを提供する。
【０００８】
フレキシブルリップの各々は、対応するマッサージ部材の回転軸線回りに延在する。
【０００９】
リップの間に位置するギャップは、使用時も含めて恒久的に、外部と連通している。
【００１０】
例示するならば、処理対象領域は、顔上の皮膚、または、身体上の皮膚、または、頭皮、または、髪、とされる。
【００１１】
皮膚に対して適用される場合には、フレキシブルリップは、皮膚上において局所的な張力をもたらすことができる。皮膚上においてフレキシブルリップが転がることにより、皮膚上に付与される張力を移動させることができる。
【００１２】
本発明により、例えば、赤いマークを残すことなく、マッサージ部材によって顔の皮膚をマッサージすることができる。
【００１３】
一対をなすフレキシブルリップは、単一のマッサージ部材に属することができ、フレキシブルリップは、マッサージ部材に対して単一部材として成型することができる。リップは、リップどうし間に、吸引パッドとは異なり、皮膚に対して適用された際に吸引力を生成しないような環状グルーブを形成することができる。２つのフレキシブルリップは、単一の部材として成型される必要はなく、それらは、互いに異なるマッサージ部材に属することができる。
【００１４】
マッサージ部材は、フレキシブルリップと一緒に成型される少なくとも１つのピン部分を備えることができる。これにより、適切であれば、マッサージデバイスの構成部材の数を減らすことができる。
【００１５】
マッサージ部材は、リップをなす材料とは異なる材料から形成されたハブを備えることができる。そのようなハブは、適切であれば、マッサージ部材の回転を、より容易なものとする。
【００１６】
マッサージデバイスは、可能であれば、リップどうしの間に、突出部材を備えることができる。突出部材は、例えば、一連のスパイクとされる。その場合、突出部材は、適切であれば、フレキシブルリップと一体的に形成することができる。突出部材が皮膚に対して接触しつつ移動する際には、突出部材は、振動を発生させることができる。
【００１７】
フレキシブルリップは、回転軸線から離間する向きにおいて互いに離間するようなフレア形状のものとすることができる。これにより、マッサージ部材が皮膚に対して適用されて皮膚に対して押圧された際に、フレキシブルリップどうしを、互いに離間する向きへと、より容易に撓ませることができる。
【００１８】
フレキシブルリップは、円形のエッジを有することができる。あるいは、フレキシブルリップは、例えば多角形といったようなエッジを有することができる。フレキシブルリップは、環状形状を有することができる。
【００１９】
フレキシブルリップは、開口を有することができる。開口は、リップのフレキシブルさを増大させることができる。
【００２０】
フレキシブルリップは、エッジ上に、複数のノッチあるいは複数の歯を有することができる。
【００２１】
リップは、リップどうしの間に、径方向において広がるグルーブを形成することができる。
【００２２】
上記対をなすフレキシブルリップは、回転軸線に対して直交する平面に関して、互いに実質的に対称なものとすることができる。
【００２３】
各フレキシブルリップの自由エッジは、付加的には、回転軸線回りにおいて、軸線対称性を有することができる。
【００２４】
少なくとも１つのフレキシブルリップは、中心からずれた位置に位置することができる。
【００２５】
一対をなすフレキシブルリップの自由エッジどうしの間の距離は、回転軸線に沿って測定した際には、例えば、１ｍｍ〜１５ｍｍという範囲とすることができ、特に、２ｍｍ〜１０ｍｍとすることができる。
【００２６】
フレキシブルリップの長さは、自由エッジと、マッサージ部材の残部に対して連結されている領域と、の間において測定した際には、例えば、３ｍｍ〜１５ｍｍという範囲とすることができ、特に、４ｍｍ〜１０ｍｍとすることができる。
【００２７】
例えば、フレキシブルリップの厚さは、１．５ｍｍを超えないものとされる。
【００２８】
適切であれば、フレキシブルリップを形成する材料は、磁性粒子からなるフィラーを含有することができる。
【００２９】
例えば、フレキシブルリップの最大半径は、２０ｍｍを超えないものとされる。
【００３０】
デバイスは、フレキシブルリップが皮膚と接触して変形する際に、皮膚と接触し得るように構成された少なくとも１つの追加的な回転マッサージ部材を備えることができる。
【００３１】
追加的なマッサージ部材は、支持体のうちの、上記マッサージ部材の各々を支持している複数のブランチの間に、取り付けることができる。
【００３２】
例示するならば、回転部材は、ブランチの間に配置されたローラとされる。
【００３３】
ローラは、相補的なマッサージ作用をもたらし得るような凹凸部分を有することができる。凹凸部分は、例えば、スパイクまたはリブとされ、ローラの一端から他端のいくにつれて角度的にオフセットされる。
【００３４】
支持体は、フラットなハンドルを備えることができる。
【００３５】
デバイスは、少なくとも１つのスロット付きピンを備えることができ、スロット付きピン上には、マッサージ部材が付設されている回転リングをスナップ固定することができる。ピンは、支持体上に取り付けることができる。
【００３６】
本発明は、また、上述したようなデバイスを使用して皮膚をマッサージするための方法を提供する。フレキシブルリップを、皮膚に対して特に皺の両サイドに対して適用することができ、マッサージ部材を回転させて皮膚上にわたって転がすことができる。
【００３７】
少なくとも１つの皺の両サイドにおいて、マッサージデバイスによって、張力を生成することができる。
【００３８】
マッサージデバイスは、皺に沿って移動させることができる。
【００３９】
組成物を、皮膚上にわたってのマッサージ部材の移動前におよび／または移動最中に、フレキシブルリップどうしの間に供給することができる。
【発明を実施するための最良の形態】
【００４０】
本発明の他の目的や特徴点や利点は、添付図面を参照しつつ、本発明を何ら限定するものではなく単なる例示としての好ましい実施形態に関する以下の詳細な説明を読むことにより、明瞭となるであろう。
【００４１】
図１に示すマッサージデバイス１は、マッサージ部材２を備えている。マッサージ部材２は、支持体９０に対して、回転軸線Ｒ回りに回転することができる。支持体９０は、考慮している実施形態においては、長手方向軸線Ｘに沿って長尺なものとされている。
【００４２】
例示するならば、軸線Ｘと軸線Ｒとは、実質的に直交している。
【００４３】
マッサージ部材２は、図２において個別的に示すように、デバイス１の使用時に皮膚に対して接触することとなる一対のフレキシブルリップ３，４を備えている。
【００４４】
リップ３，４は、中央部分５に対して連結されている。中央部分５は、考慮している実施形態においては、貫通している開口６を有している。開口６を通して、ピン７を挿通させることができる。ピン７の両端は、支持体の２つのブランチ８，９によって保持される。
【００４５】
休止時には、リップ３，４は、考慮している実施形態においては、径方向に対する直交方向において、互いに離間するようにフレア形状とされている。これにより、マッサージ部材２が皮膚に対して適用され、さらに、回転軸線Ｒとほぼ直交する方向においてマッサージ部材によって皮膚上へと圧力が印加されたときには、リップ３，４は、図３に示すように、表皮を押し広げるような作用をもたらす傾向がある。この押し広げ作用は、例えば、皺Ｆの両サイドにおいてもたらされ、これにより、皺の周囲の皮膚を引き締めることができる。
【００４６】
特に、デバイス１は、皺の両サイドの皮膚に対してリップ３，４を適用しつつ、皺Ｆに沿って移動することができる。
【００４７】
図２に示す実施形態においては、フレキシブルリップ３，４は、例えばエラストマー材料といったようなプラスチック材料を成型することによって、中央部分５と一体的に形成される。
【００４８】
図４に示すように、フレキシブルリップ３，４は、また、例えば中央部分５上にエラストマー材料をオーバーモールドすることによってといったような手法によって、中央部分５とは異なる材料から形成することもできる。その場合、中央部分は、リップ３，４よりも剛直なプラスチック材料から成型される。これにより、マッサージ部材２を、より容易に回転させることができる。
【００４９】
図４に示すように、中央部分５は、可能であれば、軸線Ｒを有したピン部分１２と一緒に形成することができる。これにより、ピン７を設ける必要性を回避することができる。適切であれば、ピン部分１２は、ブランチ８，９内のハウジング内において、直接的に受領されることができる。
【００５０】
図５の実施形態においては、マッサージ部材２は、ハブ１３を有している。ハブ１３は、フレキシブルリップ３，４を形成している材料とは異なる材料から形成されている。特に、より剛直なプラスチック材料から形成されている。
【００５１】
ハブ１３は、中央部分５の開口６に対して取り付けられている。例えば、中央部分に対するナップ取付によって取り付けられている。
【００５２】
ハブ１３は、また、中央部分５上にオーバーモールドすることもできる。
【００５３】
適切であれば、ハブ１３は、図６に示すように、互いに組み立てられる２つの部分１４，１５を有することができる。これにより、例えば、部分１４，１５をフランジ１６と一緒に形成することができる。これにより、中央部分５を、より剛直なものとすることができる。部分１４，１５は、例えばスナップ留めによって、互いに組み立てられる。しかしながら、部分１４，１５は、他の手法によっても固定することができる。例えば、とりわけ、接着剤や熱シールを使用することによって、固定することもできる。
【００５４】
フレキシブルリップ３，４は、図２〜図６に示す実施形態においては、プラスチック材料を成型することによって、一体的に形成されている。しかしながら、フレキシブルリップ３，４を、図７に示すように、互いに個別の２つの部材とすることも、本発明の範囲を超えるものではない。
【００５５】
例示するならば、リップ３，４は、それぞれ個別のマッサージ部材１７，１８に属している。マッサージ部材１７，１８は、全体的に外向きに凹形状をなすものとされ、ピンを挿通させ得る貫通開口２０を有している。
【００５６】
マッサージ部材１７，１８の凹面は、考慮している実施形態においては、互いに反対側を向いている。しかしながら、マッサージ部材１７，１８の凹面は、図示していない変形例においては、互いに対向するものとすることができる。
【００５７】
図８に示すように、マッサージ部材２は、フレキシブルリップ３，４の間に、複数の突出部材２２を備えることができる。
【００５８】
例示するならば、複数の突出部材２２は、図９からわかるように、フレキシブルリップ３，４の間において、中央部分５の周縁上において、互いに離間するようにして、配置されている。
【００５９】
例えばスパイクという形態とされた突出部材２２の高さは、例えば、フレキシブルリップ３，４の高さよりも低いものとされている。これにより、図１０に示すように、突出部材２２は、フレキシブルリップ３，４が互いに離間する向きに変形した後にしか、皮膚に対して接触することができない。
【００６０】
軸線方向断面においては、リップ３，４は、長手方向の少なくとも一部において、特に自由端３０または３１を起点とした長手方向部分において、実質的に矩形形状のものとすることができる。リップ３，４の軸線方向断面は、また、曲線と直線との組合せとすることもできる。
【００６１】
図８の実施形態においては、複数の突出部材２２は、成型によって、フレキシブルリップ３，４と一体的に形成されている。
【００６２】
変形例においては、図１１に示すように、突出部材２２は、上記マッサージ部材１７，１８の間に介装された回転部分２８に対して付設することができる。
【００６３】
フレキシブルリップ３，４は、例えば図２に示すマッサージ部材の場合のように、軸線Ｒに対して直交する中央平面に関して互いに対称的なものとすることができる。
【００６４】
フレキシブルリップ３，４は、そのように対称的なもの以外の構成とすることもできる。例えば、フレキシブルリップ３，４は、例えば図１３に示すように、軸線Ｒに対して直交する中央平面に関して互いに対称的ではないものとすることができる。
【００６５】
例示するならば、フレキシブルリップ４は、軸線Ｒに対して直交する平面内に実質的に延在するものとすることができる。一方、フレキシブルリップ３は、例えば径方向に対する直交方向においてリップ４から離間する向きに、軸線Ｒに対して傾斜している。
【００６６】
フレキシブルリップ３，４が、異なるマッサージ部材１７，１８によって形成されているときには、フレキシブルリップ３，４は、また、図１４に示すように、互いに異なる形状のものとすることもできる。
【００６７】
フレキシブルリップ３，４は、互いに異なるフレキシブルさを有したものとして、他の態様によって形成することができる。
【００６８】
例示するならば、フレキシブルリップ３は、図１５に示すように、フレキシブルリップ４よりも厚いものとして形成することができ、これにより、フレキシブルリップ４と比較してより容易には変形しないものとすることができる。
【００６９】
例えば、フレキシブルリップ３，４の各自由端３０，３１は、円形とすることができる。例示するならば、エッジ３０，３１は、互いに同じ半径を有することも、また、互いに異なる半径を有することも、できる。最大半径ｙは、すなわち、エッジ３０または３１から軸線Ｒまでの距離は、例えば、２０ｍｍを超えることがない。
【００７０】
各エッジ端３０または３１は、同じ平面内に含まれることができる。しかしながら、そうではない構成とすることもできる。例示するならば、エッジ３０または３１は、図１７Ａに示すように、軸線Ｒに対して直交する中央平面の両サイドにおいて波打っているようにして延在することができる。
【００７１】
フレキシブルリップ３，４は、対応自由端３０または３１と中央部分５との間にわたって、長さｌを有している。この長さｌは、リップの周縁部分の少なくとも一部上において、例えば全周縁上にわたって、図２に示すように、中央部分５の半径ｒよりも大きなものとすることができる。
【００７２】
長さｌは、各フレキシブルリップ３，４に関して同一とすることができる、あるいは、互いに異なるものとすることができる。
【００７３】
長さｌは、図１６に示すように、周縁方向において変化するものとすることができる。これにより、例えば、周縁方向における自由端３０，３１どうしの間の距離ｄを変化させることができる、および／または、周縁方向においてリップ３，４のフレキシブルさを変化させることができる。
【００７４】
長さｌは、例えば、３ｍｍ〜１５ｍｍという範囲とされ、さらには、３ｍｍ〜１０ｍｍという範囲とされる。
【００７５】
距離ｅは、例えば、１ｍｍ〜１５ｍｍという範囲とされ、さらには、１ｍｍ〜６ｍｍという範囲とされる。
【００７６】
例示するならば、リップ３または４の厚さは、例えば、その長さの少なくとも半分にわたって、１．５ｍｍを超えないものとされる。
【００７７】
自由端（あるいは、自由エッジ）３０または３１は、また、非円形の形状とすることができる。例えば、図１７に示すように、波打ち形状とすることができる。波打ち形状の振幅は、径方向に対する直交方向において、５ｍｍを超えないものとされる。
【００７８】
図１８に示すように、開口６は、中心ではない位置とすることができる。
【００７９】
リップ３，４は、図１９に示すように、少なくとも１つの材料ブリッジ４０を介して、互いに連結することができる。材料ブリッジ４０は、延在する角度範囲が限定されたものとされている。これにより、リップ３，４を固定することができる、および／または、リップ３，４を局所的に強化することができる。
【００８０】
互いに同一とされたまたは互いに異なるものとされた複数のマッサージ部材３を、図２０に示すように、共通の支持体９０上において回転可能に取り付けることができる。例えば、単一の回転軸線Ｒ回りに回転可能に取り付けることができる。
【００８１】
変形例においては、少なくとも２つのマッサージ部材２は、互いの間に角度αを形成しているそれぞれの回転軸線Ｒ’，Ｒ”回りに回転可能であるようにして、取り付けることができる。角度αは、例えば、図２１に示すように、１８０°よりも小さなものとすることができる、あるいは、図２２に示すように、１８０°よりも大きなものとすることができる。図２２の実施形態においては、マッサージ部材２は、支持体９０がなすハンドルに対して上下が逆であるようなＶ字型の構成を有している。
【００８２】
例示するならば、マッサージ部材２は、図２１および図２３に示すように、それぞれのピン上において片持ち支持されることができる。
【００８３】
例示するならば、図２１および図２３の実施形態におけるマッサージ部材は、ピン７によって、固定することができる。この場合、ピン７の一端は、図２２に示すように、ブランチのハウジング５０内にスナップ留めされており、他端は、保持スリーブ５３をピン７上にスナップ固定し得るようなワイドスロット付きヘッド５１を有している。保持スリーブは、カラー５４が設けられている。カラー５４を使用することにより、ピン７上にマッサージ部材２を保持することができる。ピンは、対応するブランチに対して当接することとなるカラー５７を備えることができる。
【００８４】
支持体９０は、図２４に示すように、全体的に湾曲した形状を有することができる。
【００８５】
長手方向の少なくとも一部にわたって、ブランチは、好ましくは、横断面に応じて、１つまたは複数の方向において、変形する。横断面は、円形である必要はない。
【００８６】
図２１および図２３に示すマッサージデバイスは、有利には、使用時に変形し得るよう十分にフレキシブルであるようなブランチ８，９を備えている。これにより、例えば、マッサージデバイスを、処理対象をなす領域の形状に対して、より容易に適合させることができる。例示するならば、ブランチ８，９のうちの少なくとも一方は、弾性的に変形可能なものとされ、任意の方向に変形することができる。好ましくは、両方のブランチが、弾性的に変形可能なものとされる。
【００８７】
例えば、ブランチの長さは、４０ｍｍ以上とされる。
【００８８】
図２５は、変形例を示しており、この変形例においては、マッサージ部材２は、支持体９０によって両端が支持されているそれぞれのピン７に対して付設されているとともに、支持体は、マッサージ部材２どうしの間に位置した中間部分４３を備えている。
【００８９】
少なくとも一方のマッサージ部材２は、また、特に図２６に示すように、レセプタクル６０に対して固定することができる。その場合、マッサージ部材は、レセプタクルの一端に配置され、レセプタクルの他端には、アプリケータ部材６１が付設される。アプリケータ部材６１は、例えば、組成物を塗布または吐出し得るような、先端または他の任意の手段とされ、例えば、単純なディスペンサオリフィスや、ポンプや、ロールオンディスペンサの場合と同様にケージ内に保持されたボール、といったようなものとされる。
【００９０】
図２７の実施形態においては、レセプタクル６０の一端は、キャップ６５によって閉塞され得るディスペンサオリフィス６４を備えている。
【００９１】
支持体９０は、ディスペンサオリフィス６４とは反対側の端部においてレセプタクル６０に対して固定され得るように、構成されている。この目的のために、レセプタクル６０は、例えば、凹凸形状部分６６を備えている。
【００９２】
図２８の実施形態においては、レセプタクル６０には、例えばポンプといったようなディスペンサ部材６７が付設されている。そして、支持体９０は、不使用時にディスペンサ部材６７をカバーするのに適しているようなキャップの形態として、構成されている。
【００９３】
図２９に示す実施形態においては、支持体９０は、ディスペンサ部材６７を備えているカバーし得るようにしてレセプタクル６０上に取り付け得るように、構成されている。支持体は、また、ディスペンサ部材の不使用時には、支持体自体が保護キャップ７０によってカバーされ得るものとして、構成されている。
【００９４】
図３０の実施形態においては、マッサージ部材２は、フレキシブルリップどうしの間に組成物を供給し得るよう構成されたレセプタクルに対して、固定されている。例えば、組成物は、リップどうしの間において開口しているような一端部を有したあるいはリップの近傍において開口しているような一端部を有した端部ピース１００を使用して、供給される。
【００９５】
適切であれば、このようにして供給された組成物は、リップどうしの間における毛細管現象によって、保持されることができる。
【００９６】
変形例においては、所定領域を処理する前に、組成物が、リップどうしの間に供給され、そして、その組成物は、個別のレセプタクルから供給される。
【００９７】
例示するならば、マッサージ部材に関連して使用される組成物は、化粧品または皮膚ケア製品とされ、例えば皺取り剤（アンチリンクル剤）とされる。
【００９８】
図３１は、複数のブランチのそれぞれの長手方向軸線が、単一平面内に全体的に含有されていないような可能性を示している。
【００９９】
例示するならば、複数のブランチは、基端部１１８，１１９を含んでいる平面から逸脱したそれぞれ対応する先端部１０８，１０９を有している。先端部には、マッサージ部材を付設することができる。
【０１００】
図３２および図３３は、他の実施形態を示している。この実施形態においては、支持体９０が、ハンドル９１と、このハンドル９１から延出されている２つのブランチ２０１，２０２と、を備えている。２つのブランチ２０１，２０２は、ハンドル９１から離間した端部のところにおいて、円弧状部分２０３によって、互いに連結されている。
【０１０１】
ブランチ２０１，２０２は、延出部分２０４，２０５を有している。これら延出部分２０４，２０５は、円弧状部分２０３と協働することにより、２つの回転マッサージ部材２を配置する２つのフォークを形成することができる。
【０１０２】
各回転マッサージ部材は、エラストマー材料の成型によって単一部材として形成された一対のリップを備えている。図３３からわかるように、リップは、ハブ２１０に対して付設されており、ハブ２１０の端部は、円弧状部分２０３の対応穴と、延出部分２０４，２０５の対応穴と、に対して係合している。
【０１０３】
考慮している実施形態においては、マッサージ部材２は、互いの間に鈍角を形成する回転軸線Ｒ’，Ｒ”回りに回転可能とされている。
【０１０４】
延出部分２０４，２０５は、ハンドル９１から離間する向きにおいて、収束している。
【０１０５】
ブランチ２０１，２０２は、これらの間に、ギャップ２１８を形成している。ギャップ２１８は、支持体９０に対して回転可能に取り付けられたローラ２１１を受領している。ローラ２１１は、ローラの回転軸線Ｚに沿って離間した複数のリブ２１４を備えている。これらリブどうしの間には、グルーブ２２０が形成されている。各リブ２１４は、軸線Ｚに沿って見たときには、全体的に正方形形状とされている。互いに隣接する２つのリブの頂部どうしは、例えば、４５°だけオフセットされている。
【０１０６】
図示の実施形態においては、支持体９０は、比較的剛直なプラスチック材料から形成されている。しかしながら、材料をフレキシブルなものとすることは、本発明の範囲を超えるものではない。
【０１０７】
デバイスのうちの、マッサージ部材２を皮膚に対して接触させるに際して使用者によって選択されたサイドに応じて、ローラ２１１は、皮膚に対して接触することもまた接触しないこともできる。
【０１０８】
より詳細には、使用者が、ハンドル９１の凸面側を皮膚に対して対向させた際には、ローラ２１１は、皮膚に対して比較的容易に接触することができる。これに対し、使用者が、ハンドル９１の凹面側を皮膚に対して対向させた際には、ローラ２１１を皮膚に対して接触させることは、あまり容易ではない。
【０１０９】
本発明は、ブランチどうしの間におけるマッサージ部材の特定の形状に限定されるものではない。ローラ２１１は、例えば、特にスパイクといったような他の形状を有した凹凸部分を備えることができる。
【０１１０】
図３４は、変形例を示している。この変形例においては、マッサージ部材２は、スロット付きピン２２０によって、支持されている。スロット付きピン２２０は、支持体９０に対して一体的に形成することができる、あるいは、支持体に対して取り付けることができる。取付は、例えば、支持体の対応ハウジングに対しての、スナップ固定や、嵌合や、接着や、熱シール、とされる。
【０１１１】
図示のように、支持体９０は、中央開口２３０を有することができる。
【０１１２】
各マッサージ部材２は、スロット付きピン２２０上にスナップ固定されたリング２２３上に取り付けることができる。ピン２２０のヘッド２２４側においては、リング２２３は、カラー２２６を有している。
【０１１３】
リング２２３の軸線方向寸法は、マッサージ部材の中央部分２３３の軸線方向寸法よりも大きいものとされている。これにより、マッサージ部材のうちの、ヘッド２２４とは反対側に位置している面２４０は、スロット付きピン２２０の基部のところに存在するカラー２４４に対して当接していない。
【０１１４】
図３７に示すように、マッサージ部材のリップは、ノッチ２５０を有することができる。
【０１１５】
リップは、また、開口２５１を有することもできる。図３８に示すように、開口２５１は、特に、一連の径方向スロットとすることができる。
【０１１６】
図３９に示すリップは、非円形のエッジを有している。特に、エッジは、例えば５個以上の側辺を有した多角形形状を有することができる。
【０１１７】
エッジ上においては、リップは、図４０に示すように、複数の歯２５５を有することができる。
【０１１８】
当然のことながら、マッサージ部材２を支持体に対して取り付ける手法とは関係なく、図３７〜図４０に示すような任意の形状のマッサージ部材を使用することができる。
【０１１９】
図示していない変形例においては、図１〜図３６に示すマッサージ部材は、図３７〜図４０に示すマッサージ部材のうちの任意のものによって、代替することができる。
【０１２０】
当然のことながら、本発明は、上記実施形態に限定されるものではない。特に、様々な実施形態におけるそれぞれの特徴点は、図示されていない変形例として、他の特徴点と組み合わせることができる。
【０１２１】
単一のマッサージデバイスは、図示された様々なマッサージ部材の中から任意に選択された様々に異なる複数のマッサージ部材と一緒に使用することができる。
【０１２２】
『１つのものを備えている』という用語が、特に断らない限り、『少なくとも１つのものを備えている』という用語と同義であることは、理解されるであろう。
【０１２３】
いくつかの特定の実施形態を参照して本発明について上述したけれども、これら実施形態が本発明の原理および応用を例示しているに過ぎないことは、理解されるであろう。したがって、上記実施形態に対して様々な修正を行い得ること、および、特許請求の範囲によって規定された本発明の精神および範囲から逸脱することなく他の構成を適用し得ることは、理解されるであろう。
【図面の簡単な説明】
【０１２４】
【図１】本発明の一実施形態をなすマッサージデバイスを示す正面図である。
【図２】図１におけるマッサージ部材を示す軸線方向断面図である。
【図３】フレキシブルリップが皮膚に対して接触しつつ変形する様子を示す図である。
【図４】図２と同様の図であって、マッサージ部材に関する様々な変形例を示している。
【図５】図２と同様の図であって、マッサージ部材に関する様々な変形例を示している。
【図６】図２と同様の図であって、マッサージ部材に関する様々な変形例を示している。
【図７】図２と同様の図であって、マッサージ部材に関する様々な変形例を示している。
【図８】図２と同様の図であって、マッサージ部材に関する様々な変形例を示している。
【図９】図８におけるIX−IX線に沿った矢視断面図である。
【図１０】フレキシブルリップが皮膚に対して接触しつつ変形する様子を示す図である。
【図１１】図２と同様の図であって、本発明の他の変形例を示している。
【図１２】図１１におけるXII−XII線に沿った矢視断面図である。
【図１３】図１と同様の図であって、本発明の他の変形例を示している。
【図１４】図１と同様の図であって、本発明の他の変形例を示している。
【図１５】図１と同様の図であって、本発明の他の変形例を示している。
【図１６】図１と同様の図であって、本発明の他の変形例を示している。
【図１７】マッサージ部材の変形例を示す正面図である。
【図１７ａ】マッサージ部材の変形例の一部を示す斜視図である。
【図１８】マッサージ部材の他の変形例を示す正面図である。
【図１９】マッサージ部材の他の変形例の一部を示す斜視図である。
【図２０】本発明の他の実施形態をなすマッサージデバイスを示す正面図である。
【図２１】本発明のさらに他の実施形態をなすマッサージデバイスを示す正面図である。
【図２２】図２１のデバイスの細部を分解して示す長手方向断面図である。
【図２３】図２１と同様の図であって、変形例を示している。
【図２４】図２３におけるXXIV線方向から見た側面図である。
【図２５】本発明に基づいて構成されたデバイスの他の実施形態を示す正面図である。
【図２６】本発明に基づいて構成されたデバイスの他の実施形態を示す正面図である。
【図２７】本発明に基づいて構成されたデバイスの他の実施形態を示す正面図である。
【図２８】本発明に基づいて構成されたデバイスの他の実施形態を示す正面図である。
【図２９】本発明に基づいて構成されたデバイスの他の実施形態を示す正面図である。
【図３０】本発明に基づいて構成されたデバイスの他の実施形態を示す正面図である。
【図３１】本発明に基づいて構成されたデバイスの他の実施形態を示す正面図である。
【図３２】本発明に基づいて構成されたデバイスの他の実施形態を示す正面図である。
【図３３】図３２におけるXXXIII線方向から見た図である。
【図３４】本発明に基づいて構成されたデバイスの他の実施形態を示す正面図である。
【図３５】図３４のデバイスの細部を示す図である。
【図３６】図３４のデバイスにおけるマッサージ部材が組み立てられる様子を部分的に示す軸線方向断面図である。
【図３７】マッサージ部材の他の実施形態を示す正面図である。
【図３８】マッサージ部材の他の実施形態を示す正面図である。
【図３９】マッサージ部材の他の実施形態を示す正面図である。
【図４０】マッサージ部材の他の実施形態を示す正面図である。
【符号の説明】
【０１２５】
１    マッサージデバイス
２    マッサージ部材
３    フレキシブルリップ
４    フレキシブルリップ
１７    マッサージ部材
１８    マッサージ部材
２２    突出部材、スパイク
６０    レセプタクル
９０    支持体
２１１    マッサージ部材
Ｒ    回転軸線
Ｒ’  回転軸線
Ｒ”  回転軸線
【図１】
0004809181.tif 000002
【図２】
0004809181.tif 000003
【図３】
0004809181.tif 000004
【図４】
0004809181.tif 000005
【図５】
0004809181.tif 000006
【図６】
0004809181.tif 000007
【図７】
0004809181.tif 000008
【図８】
0004809181.tif 000009
【図９】
0004809181.tif 000010
【図１０】
0004809181.tif 000011
【図１１】
0004809181.tif 000012
【図１２】
0004809181.tif 000013
【図１３】
0004809181.tif 000014
【図１４】
0004809181.tif 000015
【図１５】
0004809181.tif 000016
【図１６】
0004809181.tif 000017
【図１７】
0004809181.tif 000018
【図１７ａ】
0004809181.tif 000019
【図１８】
0004809181.tif 000020
【図１９】
0004809181.tif 000021
【図２０】
0004809181.tif 000022
【図２１】
0004809181.tif 000023
【図２２】
0004809181.tif 000024
【図２３】
0004809181.tif 000025
【図２４】
0004809181.tif 000026
【図２５】
0004809181.tif 000027
【図２６】
0004809181.tif 000028
【図２７】
0004809181.tif 000029
【図２８】
0004809181.tif 000030
【図２９】
0004809181.tif 000031
【図３０】
0004809181.tif 000032
【図３１】
0004809181.tif 000033
【図３２】
0004809181.tif 000034
【図３３】
0004809181.tif 000035
【図３４】
0004809181.tif 000036
【図３５】
0004809181.tif 000037
【図３６】
0004809181.tif 000038
【図３７】
0004809181.tif 000039
【図３８】
0004809181.tif 000040
【図３９】
0004809181.tif 000041
【図４０】
0004809181.tif 000042